(57)【要約】【課題】低コストでレンズの位置決め精度の高い結像光学系組立体、カメラモジュール、およびカメラを提供する。【解決手段】結像光学系組立体において、内部空間を有する筐体と、光軸方向に移動されるレンズを含む、筐体に収容された結像光学系と、レンズを保持するレンズ枠と、光軸方向に延在しレンズ枠の光軸方向の動きをガイドするガイド軸とを有し、レンズ枠が、レンズを保持するとともにガイド軸を貫通させ、貫通方向一方の側でガイド軸を支持し他方の側がガイド軸よりも太径に形成された、ガイド穴を有する第１部材と、ガイド軸を貫通させる貫通孔を有し、ガイド穴の、他方の側の太径の部分に装入され第１部材に固定されてガイド軸を支持する第２部材とを有することを特徴とする。【選択図】        図４
2011232438.tif 000002
【特許請求の範囲】
【請求項１】
内部空間を有する筐体と、
光軸方向に移動されるレンズを含む、前記筐体に収容された結像光学系と、
前記レンズを保持するレンズ枠と、
光軸方向に延在し前記レンズ枠の光軸方向の動きをガイドするガイド軸とを有し、
前記レンズ枠が、
前記レンズを保持するとともに前記ガイド軸を貫通させ、貫通方向一方の側で該ガイド軸を支持し他方の側が該ガイド軸よりも太径に形成された、ガイド穴を有する第１部材と、
前記ガイド軸を貫通させる貫通孔を有し、前記ガイド穴の、前記他方の側の太径の部分に装入され該第１部材に固定されて該ガイド軸を支持する第２部材とを有することを特徴とする結像光学系組立体。
【請求項２】
前記第１部材が、前記一方の側の一部のみ前記ガイド軸に接する小径に形成され、前記第２部材が前記他方の側の一部のみ前記ガイド軸に接する小径に形成されていることを特徴とする請求項１記載の結像光学系組立体。
【請求項３】
前記第１部材の、前記ガイド軸に接する小径部分の方が、前記第２部材の、前記ガイド軸に接する小径部分よりも、光軸方向に関し前記レンズ枠に保持されたレンズに近い位置に形成されていることを特徴とする請求項２記載の結像光学系組立体。
【請求項４】
前記レンズが変倍用のレンズであることを特徴とする請求項１から３のうちいずれか１項記載の結像光学系組立体。
【請求項５】
前記レンズが焦点調節用のレンズであることを特徴とする請求項１から３のうちいずれか１項記載の結像光学系組立体。
【請求項６】
請求項１から５のうちいずれか１項記載の結像光学系組立体を有し、
前記筐体が、光軸方向後方に光軸とは垂直に広がり内外に通じる開口が形成された壁部を有し、さらに
前記壁部の開口から前記内部空間を覗き前記結像光学系により結像された被写体像を受ける受光素子から構成され前記壁部の外壁に沿って広がる基板を有することを特徴とするカメラモジュール。
【請求項７】
前記結像光学系がプリズムを有し、被写体側からの入射光束を該プリズムで反射して前記撮像素子に導く屈曲光学系であることを特徴とする請求項６記載のカメラモジュール。
【請求項８】
請求項６または７に記載のカメラモジュールと、
前記カメラモジュールを内蔵するカメラボディとを備えたことを特徴とするカメラ。
【発明の詳細な説明】
【技術分野】
【０００１】
本発明は、結像光学系組立体、その結像光学系組立体を有するカメラモジュール、およびカメラに関する。
【背景技術】
【０００２】
結像光学系が有するレンズを、変倍や焦点調節のため光軸方向に移動自在に保持する構造として、レンズを保持する保持部に対し光軸方向に延びる軸を貫通させ、レンズを保持部ごと軸に沿って移動させる構造が知られている。保持部は通常、樹脂形成品であり、貫通した軸に対する姿勢すなわち角度の精度を保つことは困難である。そこで、精度を向上するため、軸よりも大きな穴を保持部に形成して、この穴に円筒状の金属製ガイドブッシュを挿入し、ガイドブッシュに軸を貫通させる方法が知られている。この構造では、保持部がガイドブッシュを介して軸に支持される。また、保持部の穴の内周面とガイドブッシュ外周面には隙間を設けておき、隙間によるガタを利用して角度を調整し、調整が済んだ状態でガイドブッシュを保持部に接着することで、保持部の軸に対する角度が固定される。
【０００３】
上述した構造として、例えば、保持部のうち軸が貫通する穴の全長に渡ってガイドブッシュが配備された構造が知られている（例えば、特許文献１参照。）。また、保持部のうち軸が貫通する穴の全長のうち、軸が延びる方向の両端に一対のガイドブッシュを配置した構造が知られている（例えば、特許文献２参照。）。また、保持部に取り付けたねじによって保持部に対するガイドブッシュの位置を調整する構造も知られている（例えば、特許文献３参照。）。
【先行技術文献】
【特許文献】
【０００４】
【特許文献１】特開昭６２−１５０２１１号公報
【特許文献２】特開平６−９４９６３号公報
【特許文献３】特開２００１−４８９２号公報
【発明の概要】
【発明が解決しようとする課題】
【０００５】
しかしながら、保持部の内周面とガイドブッシュの外周面との間に隙間を設けて角度を調整しようとした場合、保持部の穴の全長に渡ってガイドブッシュが配備された構造では、全長に渡って隙間を有する穴の中でガイドブッシュが自由な姿勢をとり得るため、軸からレンズの光軸までの距離が角度調整によって変動する。したがって、角度調整によって保持されたレンズの光軸の角度が他の光学系の光軸と一致しても、このレンズの光軸が他の光学系の光軸とずれて平行に延びた状態となるおそれがある。つまり、それぞれの光軸が一直線をなすように調整することが困難である。また、組立時にガイドブッシュに軸を貫通させるようにしつつ、ガイドブッシュの全長に亘って内径を軸との隙間が生じない寸法とすることは困難である。したがって、ガイドブッシュと軸の間の全長に亘る隙間を、組立時に確実に貫通させるよう確保する必要があり、調整後のガタつきが生じてしまう。
【０００６】
また、保持部の穴の、軸が延びるの方向の両端に一対のガイドブッシュを配置した構造では、ガイドブッシュを２つ使用するためコストアップとなり、また両方のガイドブッシュについて、角度の調整および固定を行う必要があり調整の労力も増大する。
【０００７】
また、ねじによってガイドブッシュの位置を調整する構造では、構造が複雑であり、また、ガイドブッシュの他にねじを用意する必要がありコストアップとなる。
【０００８】
本発明は上記問題点を解決し、低コストでレンズの位置決め精度の高い結像光学系組立体、カメラモジュール、およびカメラを提供することを目的とするものである。
【課題を解決するための手段】
【０００９】
上記目的を達成する本発明の結像光学系組立体は、
内部空間を有する筐体と、
光軸方向に移動されるレンズを含む、上記筐体に収容された結像光学系と、
上記レンズを保持するレンズ枠と、
光軸方向に延在し上記レンズ枠の光軸方向の動きをガイドするガイド軸とを有し、
上記レンズ枠が、
上記レンズを保持するとともに上記ガイド軸を貫通させ、貫通方向一方の側でこのガイド軸を支持し他方の側がこのガイド軸よりも太径に形成された、ガイド穴を有する第１部材と、
上記ガイド軸を貫通させる貫通孔を有し、上記ガイド穴の、上記他方の側の太径の部分に装入されこの第１部材に固定されてこのガイド軸を支持する第２部材とを有することを特徴とする。
【００１０】
本発明の結像光学系組立体によれば、ガイド軸が第１部材のガイド穴の貫通方向一方の側と他方の側に装入された第２部材の２箇所によって支持され、上記一方の側は第１部材自体で支持されているため、この支持する部分の内径をガイド軸に精度よく合わせて接するように形成することができ、レンズ枠の角度を補正した場合に、ガイド軸からレンズまでの距離の変動が抑えられる。したがって、角度の調整によってレンズの光軸が結像光学系の他の部品の光軸と一直線上に合わせられる。また、ガイド穴の全長に亘ってガイド軸を支持する場合と異なり、組立時には、ガイド軸を、２箇所の支持部分に挿入できればよいので、支持部分の寸法をガイド軸と接するように、ガイド軸に精度よく合わせて形成することできる。このため、取付け後のガタつきが抑えられる。したがって、レンズの位置決め精度が向上する。また、第２部材は、ガイド穴の全長よりも短い１個の部品であり、さらに樹脂成型品とすることもできるのでコストが低減される。
【００１１】
ここで、上記本発明の結像光学系組立体において、上記第１部材が、上記一方の側の一部のみ上記ガイド軸に接する小径に形成され、上記第２部材が上記他方の側の一部のみ上記ガイド軸に接する小径に形成されていることが好ましい。
【００１２】
貫通方向一方の側と他方の側のそれぞれ一部のみ小径に形成することで、さらに、ガイド軸に取付け容易としつつ、ガイド軸を支持する部分の寸法をガイド軸に精度よく合わせることできる。
【００１３】
また、上記本発明の結像光学系組立体において、上記第１部材の、上記ガイド軸に接する小径部分の方が、上記第２部材の、上記ガイド軸に接する小径部分よりも、光軸方向に関し上記レンズ枠に保持されたレンズに近い位置に形成されていることが好ましい。
【００１４】
第１部材小径部分の方がレンズに近い位置にあることで、レンズ枠の角度を補正した場合の、ガイド軸からレンズまでの距離の変動がさらに抑えられる。
【００１５】
また、上記本発明の結像光学系組立体において、上記レンズは、変倍用のレンズであってもよく、また、焦点調節用のレンズであってもよい。
【００１６】
また、上記目的を達成する本発明のカメラモジュールは、上記結像光学系組立体を有し
上記筐体が、光軸方向後方に光軸とは垂直に広がり内外に通じる開口が形成された壁部を有し、さらに
上記壁部の開口から上記内部空間を覗き上記結像光学系により結像された被写体像を受ける受光素子から構成され上記壁部の外壁に沿って広がる基板を有することを特徴とする。
【００１７】
本発明のカメラモジュールによれば、受光素子から、光軸が一直線上に合わせられた結像光学系を通って結像された高品質な被写体像が得られる。
【００１８】
また、上記本発明のカメラモジュールにおいて、上記結像光学系がプリズムを有し、被写体側からの入射光束をこのプリズムで反射して上記撮像素子に導く屈曲光学系であってもよい。
【００１９】
また、上記目的を達成する本発明のカメラは、上記カメラモジュールと、
上記カメラモジュールを内蔵するカメラボディとを備えたことを特徴とする。
【発明の効果】
【００２０】
以上説明したように、本発明によれば、高精度な調整が簡単に行える結像光学系組立体、カメラモジュール、およびカメラが実現する。
【図面の簡単な説明】
【００２１】
【図１】本発明のカメラの一実施形態を示す斜視図である。
【図２】図１に示すカメラモジュールの内部構造を示す断面図である。
【図３】第２の変倍レンズ枠の保持枠にガイドブッシュが装入された状態を示す拡大断面図である。
【図４】第２の変倍レンズ枠および第２の変倍レンズを示す断面図である。
【図５】本実施形態に対する比較例のレンズ枠を示す断面図である。
【発明を実施するための形態】
【００２２】
以下図面を参照して本発明の実施の形態を説明する。
【００２３】
図１は、本発明のカメラの一実施形態を示す斜視図である。
【００２４】
図１に示すカメラ１は、カメラボディ１ａ、シャッタボタン１ｂ、およびカメラボディ１ａに内蔵されたカメラモジュール１０とを備えている。カメラボディ１ａの正面には、カメラモジュール１０の対物レンズ１２が露出している。シャッタボタン１ｂが押下操作されることによりカメラモジュール１０によって撮影動作が実行される。
【００２５】
このカメラモジュール１０は、屈曲光学系が採用されており、対物レンズ１２で取り込んだ光束をプリズム１３によって反射し、さらに第１の変倍レンズ１４、フォーカスレンズ１５、および第２の変倍レンズ１６を通し、撮像素子１７に入射させる。
【００２６】
図２は、図１に示すカメラモジュールの内部構造を示す断面図である。
【００２７】
図２に示すカメラモジュール１０は、上述した対物レンズ１２、プリズム１３、第１の変倍レンズ１４、フォーカスレンズ１５、第２の変倍レンズ１６、撮像素子１７の他に、筐体１１、フォーカスレンズ枠２２、第１の変倍レンズ枠２１、第２の変倍レンズ枠２３、ガイド軸２４，２５、および、カムロッド２６を備えている。なお、図２の断面図に、対物レンズ１２は表れないが、その位置がプリズム１３とともに破線で示されている。また、筐体１１は、構造の分かりやすさのため単純化して示している。
【００２８】
プリズム１３、第１の変倍レンズ１４、フォーカスレンズ１５、および第２の変倍レンズ１６は、筐体１１の内部空間１１１に収容されており、カメラモジュール１０における結像光学系を構成している。対物レンズ１２で筐体１１に取り込まれ、プリズム１３によって反射された光束は、第１の変倍レンズ１４、フォーカスレンズ１５、および第２の変倍レンズ１６をこの順で通過し、撮像素子１７に入射する。筐体１１の、光軸方向Ｙの光束が進む向きの先には、光軸とは垂直に広がり内外に通じる開口１１２ａが形成された後壁部１１２が設けられており、撮像素子１７は、基板１８に搭載され、撮像素子１７が内部空間１１１を覗く開口１１２ａに配置され、基板１８自体はその開口１１２ａが形成された後壁部１１２の外壁に沿って広がるように固定されている。
【００２９】
フォーカスレンズ１５は、フォーカスレンズ枠２２に保持されている。このフォーカスレンズ枠２２は、光軸方向Ｙに移動自在に支持されており、このフォーカスレンズ枠２２は、図示しないフォーカス用モータが回転すると光軸方向Ｙに移動する。これにより被写体距離が異なっていても撮像素子上に合焦した被写体像が形成される。
【００３０】
また、第１および第２の変倍レンズ１４，１６は、それぞれ第１および第２の変倍レンズ枠２１，２３に保持されている。これら第１および第２の変倍レンズ枠２１，２３は、光軸方向Ｙに延びる２本のガイド軸２４，２５によって光軸方向Ｙに移動自在に支持されている。変倍用モータＭが回転すると、その回転は図示しない減速ギアを介してカムロッド２６に伝達され、そのカムロッド２６が回転する。このカムロッド２６には、第１の変倍レンズ枠２１用の図示しないカム溝と第２の変倍レンズ枠２３用の図示しないカム溝が形成されている。また、第１の変倍レンズ枠２１には、カム溝に入り込むカムピン２１ａが形成され、第２の変倍レンズ枠２３にはカム溝に入り込むカムピン２３ａが形成されている。したがって、変倍用モータＭの回転によりカムロッド２６が回転すると、そのカムロッド２６に形成された２つのカム溝に従って第１および第２の変倍レンズ枠２１，２３が光軸方向Ｙに移動する。これにより結像光学系の焦点距離が変更される。
【００３１】
第１の変倍レンズ枠２１は、保持枠２２１およびガイドブッシュ２２２を有する。
【００３２】
保持枠２２１は樹脂成型品であり、第１の変倍レンズ１４を保持している。また、保持枠２２１には、ガイド軸２４が貫通するガイド穴２２１ａが設けられおり、第１の変倍レンズ１４を挟んでガイド穴２２１ａの反対側の端には、ガイド軸２５を押えるガイド押え部２２１ｕが設けられている。ガイド押え部２２１ｕは、ガイド軸２５を両側から挟むＵ字状に突出した形状である。ガイド押え部２２１ｕがガイド軸２５を押えることよって、第１の変倍レンズ枠２１の光軸直交方向の面内での回転が押えられる。
【００３３】
ガイドブッシュ２２２は、概略円筒状の樹脂成型品であり、ガイド穴２２１ａの上側すなわちプリズム１３側に装入されている。ガイドブッシュ２２２は、ガイド軸２４を貫通させる貫通孔２２２ａを有している。保持枠２２１とガイドブッシュ２２２とは、接着剤２２３によって固定されている。
【００３４】
第２の変倍レンズ枠２３も、上述した第１の変倍レンズ枠２１と同様の構造を有している。すなわち、第２の変倍レンズ枠２３は、保持枠２３１およびガイドブッシュ２３２を有する。
【００３５】
保持枠２３１は樹脂成型品であり、第２の変倍レンズ１６を保持している。また、保持枠２３１には、ガイド軸２４が貫通するガイド穴２３１ａが設けられおり、第２の変倍レンズ１６を挟んでガイド穴２３１ａの反対側の端には、ガイド軸２５を押えるガイド押え部２３１ｕが設けられている。ガイド押え部２３１ｕは、ガイド軸２５を両側から挟むＵ字状に突出した形状である。
【００３６】
ガイドブッシュ２３２は、概略円筒状の樹脂成型品であり、ガイド穴２３１ａの上側すなわちプリズム１３側に装入されている。ガイドブッシュ２３２は、ガイド軸２４を貫通させる貫通孔２３２ａを有している。保持枠２３１とガイドブッシュ２３２とは、接着剤２３３によって固定されている。
【００３７】
ここで、第１の変倍レンズ枠２１および第２の変倍レンズ枠２３のそれぞれが、本発明にいうレンズ枠の一例に相当し、保持枠２２１，２３１のそれぞれが、本発明にいう第１部材の一例に相当し、ガイドブッシュ２２２，２３２のそれぞれが、本発明にいう第２部材の一例に相当する。また、カメラモジュール１０のうち、撮像素子１７を除いた部分が、本発明の結像光学系組立体の一実施形態である。
【００３８】
続いて、第１の変倍レンズ枠２１と第２の変倍レンズ枠２３がガイド軸２４を支持する構造を説明するが、ガイド軸２４を支持する構造については、第１の変倍レンズ枠２１と第２の変倍レンズ枠２３とは同様の構造であり、ここでは、第２の変倍レンズ枠２３について説明する。
【００３９】
図３は、第２の変倍レンズ枠の保持枠にガイドブッシュが装入された状態を示す拡大断面図である。
【００４０】
保持枠２３１には、ガイド軸２４（図２参照）の貫通方向である光軸方向Ｙに延びたガイド穴２３１ａが形成されており、ガイド穴２３１ａのうち、光軸方向Ｙ一方の側である下側すなわち撮像素子側の一部に、小径に形成されたガイド支持部２３１ｂが設けられている。ガイド支持部２３１ｂの内径は貫通するガイド軸２４の径に合わせて形成されている。より詳細には、保持枠２３１がガイド軸２４に対し光軸方向にスライドできる程度の余裕のみを有して形成されおり、実質的には隙間なく、接する大きさに形成されている。ガイド支持部２３１ｂは、ガイド穴２３１ａのうち光軸方向Ｙの一部のみに形成されている。ガイド穴２３１ａのうち、ガイド支持部２３１ｂ以外の部分の内径は、ガイド支持部２３１ｂの内径よりも大きく、ガイド軸２４が貫通した場合にガイド軸２４との間に隙間ができる。
【００４１】
保持枠２３１のガイド穴２３１ａのうち、ガイド支持部２３１ｂが設けられた撮像素子側に対する他方側である上側すなわちプリズム側にある装入部２３１ｃは、ガイドブッシュ２３２が装入される程度の太径に形成されている。より詳細には、装入部２３１ｃの内径は、ガイドブッシュ２３２の径に対し、このガイドブッシュ２３２が、装入部２３１ｃ内で光軸方向Ｙと交差する交差方向Ｘに移動することができる程度の余裕を持った大きさで形成されている。つまり、装入部２３１ｃとガイドブッシュ２３２との間には、ガイドブッシュ２３２が交差方向Ｘにずれて移動できる隙間がある。
【００４２】
ガイドブッシュ２３２に設けられた貫通孔２３２ａのうち、プリズム１３側の一部に、小径に形成されたガイド支持部２３２ｂが設けられている。ガイド支持部２３２ｂの内径は貫通するガイド軸２４（図２参照）の径に合わせて形成されている。より詳細には、保持枠２３１がガイド軸２４に対し光軸方向にスライドできる程度の余裕のみを有して形成されており、実質的には隙間なく、接する大きさに形成されている。ガイド支持部２３２ｂは貫通孔２３２ａのうち光軸方向Ｙの一部のみに形成されている。貫通孔２３２ａのうち、ガイド支持部２３２ｂ以外の部分の内径は、ガイド支持部２３２ｂの内径よりも大きく、ガイド軸２４が貫通した場合にガイド軸２４との間に隙間ができる。
【００４３】
図４は、第２の変倍レンズ枠および第２の変倍レンズを示す断面図である。
【００４４】
カメラモジュール１０（図２参照）の組立時には、保持枠２３１のガイド穴２３１ａの装入部２３１ｃにガイドブッシュ２３２が装入され、さらにガイド軸２４が貫通する。
【００４５】
ガイド軸２４は、光軸方向Ｙにおける撮像素子側に設けられたガイド支持部２３１ｂと、撮像素子側とは反対側のプリズム側に位置するガイドブッシュ２３２のガイド支持部２３２ｂとの２箇所で支持される。このことはガイド軸２４から見れば、保持枠２３１が、上記２箇所でガイド軸２４に支持されることを意味する。
【００４６】
この状態で、第２の変倍レンズ１６の光軸の角度が調整され、光軸が撮像素子１７や他のレンズの光軸に対して合わせられる。装入部２３１ｃとガイドブッシュ２３２との間には隙間があるため、ガイド軸２４が貫通したガイドブッシュ２３２は、ガイド穴２３１ａ内でずれ動く。ただし、支持の他方であるガイド支持部２３１ｂは、保持枠２３１に形成されたものであり、ガイド支持部２３１ｂとガイド軸２４の間には隙間がないため、この部分では保持枠２３１がガイド軸２４に対し交差方向Ｘにずれない。したがって、保持枠２３１が、ガイド支持部２３１ｂを中心として所定の範囲で回転することによって、保持枠２３１に保持された第２の変倍レンズ１６の光軸Ａの角度が、例えば図４のＡ’に示すように調整される。このようにして、第２の変倍レンズ１６の光軸の角度が撮像素子１７や他のレンズに対して合わせられる。
【００４７】
第２の変倍レンズ１６の光軸の角度が決定した状態で、保持枠２３１とガイドブッシュ２３２との間にある隙間２３３ｈに接着剤が注入され、この接着剤が固化することにより、ガイドブッシュ２３２が保持枠２３１に固定され、第２の変倍レンズ１６の光軸の角度が固定する。
【００４８】
すでに説明したように、保持枠２３１のガイド支持部２３１ｂとガイド軸２４の間には隙間がなく、ガイドブッシュ２３２のガイド支持部２３２ｂとガイド軸２４の間には隙間がないため、ガイドブッシュ２３２が保持枠２３１に固定された状態では、ガイド軸２４に対して保持枠２３１がガタつかない。したがって、第２の変倍レンズ１６の光軸の角度が精密に維持され、撮像光学系全体の結像の精度が向上する。
【００４９】
また、図４に示す第２の変倍レンズ枠２３では、保持枠２３１のガイド支持部２３１ｂが、ガイドブッシュ２３２のガイド支持部２３２ｂよりも、光軸方向Ｙに関し第２の変倍レンズ１６に近い位置に形成されている。このため、光軸Ａの角度を例えばＡ’に示すように調整するときに、第２の変倍レンズ１６中央を通る光軸Ａからガイド軸２４までの距離Ｄの、保持枠２３１の回転による変動が抑制される。したがって、光軸Ａ（Ａ’）の角度が調整された状態で、この光軸Ａ（Ａ’）を撮像素子１７や他のレンズの光軸に対して一直線上に並ばせることができるので、撮像光学系全体の結像の精度がさらに向上する。
【００５０】
図５は、本実施形態に対する比較例のレンズ枠を示す断面図である。
【００５１】
図５に示す比較例の変倍レンズ枠９３は、保持枠９３１のガイド穴９３１ａの全長に亘って、ガイドブッシュ９３２が設けられている。ガイドブッシュ９３２は、樹脂成型品の保持枠９３１の代わりにガイド軸２４の保持性を高めるための部材であり、強度の高い金属製材料を削り出し加工することで形成される。ガイドブッシュ９３２は、少なくともガイド穴９３１ａの全長より長く、このガイドブッシュ９３２には、組立時、ガイド軸２４をスムーズに挿入できるようにする必要がある。したがって、ガイドブッシュ９３２の貫通孔９３２ａの内径は、ガイド軸２４（図２参照）がスムーズに貫通するよう、全長に亘る加工精度を考慮して、余裕を見込んだ大きさとする必要がある。このため、ガイド軸２４に対するガイドブッシュ９３２のガタつきが生じる。したがって、光軸の角度を調整され、ガイドブッシュ９３２が保持枠９３１に固定された状態で、ガイド軸２４に対する保持枠９３１のガタつきが生じる。また、ガイドブッシュ９３２と保持枠９３１のガイド穴９３１ａとの間には、光軸の角度を調整するための隙間を、ガイド穴９３１ａの全長に亘り設ける必要がある。このため、光軸の角度を調整しようとすると、変倍レンズ中央を通る光軸Ａ（Ａ’）からガイド軸までの距離Ｄが、図に示すように大きく変動し、光軸の角度が調整されても、光軸が、撮像素子１７や他のレンズの光軸と一直線上に並ばない原因となる。
【００５２】
この一方、図４に示す本実施形態に係る第２の変倍レンズ枠２３では、保持枠２３１のガイド支持部２３１ｂと、ガイドブッシュ２３２のガイド支持部２３２ｂが、ガイド穴２３１ａにおける光軸方向Ｙにおける両端付近の２箇所でガイド軸２４を支持するので、ガイド軸２４との接触部分が少なく、２つのガイド支持部２３１ｂ，２３２ｂの内径をガイド軸２４に合わせて隙間なく形成することができる。また、ガイド軸２４を支持する２箇所のうち、第２の変倍レンズ１６に近いガイド支持部２３１ｂは保持枠２３１に形成されており、光軸の調整ではここを中心に保持枠２３１が回転するので、第２の変倍レンズ１６の光軸Ａからガイド軸２４までの距離Ｄの変動が抑制される。またさらに、ガイド支持部２３１ｂは保持枠２３１自体に形成されているため、他方の支持手段であるガイドブッシュ２３２をガイド穴２３１ａの全長よりも短くすることができる。また、２箇所のうちの一方を支持するためのガイドブッシュ２３２は樹脂成形品とすることができる。
【００５３】
このように、本実施形態のカメラモジュール１０（図２参照）は、低コストで、しかもレンズの位置決め精度が高い。
【００５４】
なお、上述した実施形態では、本発明にいうレンズの例として、第１の変倍レンズ１４および第２の変倍レンズ１６が変倍機能を有するとして説明したが、本発明はこれに限られるものではなく、例えば、第１の変倍レンズ１４または第２の変倍レンズ１６は、焦点調節用の機能を有するレンズであってもよい。
【００５５】
また、本実施形態は、プリズムを用いて光路を屈曲させる屈曲光学系であるが、本発明は、屈曲光学系でないカメラモジュールにも適用可能である。
【符号の説明】
【００５６】
１    カメラ
１ａ    カメラボディ
１０    カメラモジュール
１１    筐体
１３    プリズム
１４，１６    変倍レンズ
１７    撮像素子
１８    基板
２１，２３    変倍レンズ枠
２４，２５    ガイド軸
１１１    内部空間
１１２    後壁部
１１２ａ    開口
２２１ａ，２３１ａ    ガイド穴
２２１，２３１    保持枠
２２２，２３２    ガイドブッシュ
２２２ａ，２３２ａ    貫通孔
２３１ｂ，２３２ｂ    ガイド支持部
２３１ｃ    装入部
Ａ    光軸
Ｙ    光軸方向
【図１】
2011232438.tif 000003
【図２】
2011232438.tif 000004
【図３】
2011232438.tif 000005
【図４】
2011232438.tif 000006
【図５】
2011232438.tif 000007